(57)【要約】【課題】  主としてリールによって巻き取る釣糸の微妙な巻取り速度や、釣糸の状態からルアーや餌の沈む状態などを知ることができるようにする。【解決手段】  釣糸１の0.5ないし２メートル程度の一定ピッチごとに着色領域２と非着色領域３を配置し、非着色領域３は少なくとも0.3メートル程度以上であって、釣針１を結束したときに着色領域２の色によって魚に警戒心を抱かせない寸法とする。着色領域２には異なる色彩で着色した複数の着色部分４〜６を配置する。釣糸の非着色領域部分に釣針やルアー取り付け、ルアーを巻き取る速度等は、釣り人が視認することができる着色部分の動きを目印としてリール操作を行なう。【選択図】  図１
2006006157.tif 000002
【特許請求の範囲】
【請求項１】
0.5ないし２メートル程度の一定ピッチごとに着色領域と非着色領域を配置し、非着色領域は少なくとも釣針を結束したときに着色領域の色によって魚に警戒心を抱かせない寸法とし、着色領域には異なる色彩で着色した複数の着色部分を配置したことを特徴とする釣糸。
【請求項２】
一定ピッチの略二分の一を着色領域、残りを非着色領域とし、着色領域は三種類以上の異なる着色部分で形成し、着色部分と着色部分の間に僅かな非着色領域を形成してなる請求項１記載の釣糸。
【請求項３】
釣糸は１号未満の細い釣糸であって、リールを使用する釣り用である請求項１又は２記載の釣糸。
【発明の詳細な説明】
【技術分野】
【０００１】
この発明は、主としてルアー釣りのようにリールに巻取りながら使用する釣糸に関する発明である。
【背景技術】
【０００２】
投げ釣りや深海釣りのように太い釣糸を長く繰り出すものでは、その繰り出した長さを把握するために、特許文献２に開示されているように、例えば25メートルごとに異なる色に着色したものが古くから知られている。特許文献３には例えば１メートルごとに磁気反応物質を含む着色顔料を塗布し、磁気センサーで感知することによって繰り出された釣糸の長さを測定する思想が開示されている。また、特許文献１には例えば20メートルごとに２個一対の識別色を付し、識別色の組み合わせによってより細かな単位で繰り出された釣糸の長さを知ることができるようにする思想が開示されている。
【特許文献１】特開平１１−３２６３３号公報
【特許文献２】特開２００３−１３４９７９号公報
【特許文献３】特開平９−９８６９７号公報
【発明の開示】
【発明が解決しようとする課題】
【０００３】
上記、特許文献１ないし３に開示されるように、釣糸に何らかの着色を施すことは古くから知られている。しかしながら、従来の釣糸に着色を施す目的は、投げ釣りのように長い釣糸が繰り出される釣り方法において、繰り出された釣糸の長さを知ることであり、ルアー釣りやふかせ釣りにおいて釣糸を巻く微妙な速さを知ることや、釣針までの微妙な深さ、あるいは魚信を感知することとは何ら関係のないものであった。
【０００４】
ルアー釣りにおいては、ルアーを巻き取る速さ、換言すればルアーの移動速度や移動の状態といったルアー操作が重要であり、釣果に大きな影響がある。ルアーの移動速度は、ルアーの種類やターゲットの種類によって異なる。従来、ルアーを巻き取る速さは、リールの巻取り操作による釣り人の勘と経験によるものであり、現実に巻き取る速さを視認することができないのが現状である。特にゆっくりとルアーを移動させる釣り方の場合は、微妙な操作が困難であるという傾向がある。さらに、ルアー釣りだけでなく、渓流のふかせ釣りなどにおいても釣糸の巻く速さや、釣糸の行方をしっかりと視認することが困難であるといった欠点があった。
【０００５】
上記従来技術の欠点に鑑み、本発明は主としてリールによって巻き取る釣糸の微妙な巻取り速度や、釣糸の状態からルアーや餌の沈む状態などを知ることができるようにするとともに、繊細で警戒心の強い対象魚に対してできるだけ警戒心を抱かせない釣糸を提供することを目的とするものである。
【課題を解決するための手段】
【０００６】
上記目的を達成するために、本発明に係る釣糸１は、0.5ないし２メートル程度の一定ピッチＰごとに着色領域２と非着色領域３を配置する。非着色領域３は、釣針やルアーを結束したときに釣糸１の着色領域２の色によって魚に警戒心を抱かせない寸法とする。具体的には、少なくとも0.3メートル程度以上とする。また、着色領域２には異なる色彩で着色した複数の着色部分４〜５を配置することによって視認性を向上させる。非着色領域３の0.3メートル程度以上とは、厳密に0.3メートルを意味するものではなく、非着色のハリス長さとし、魚に警戒心を抱かせないために許容できる寸法を意味するもので、より短い寸法であってもよい。
【０００７】
具体的な構成として、一定ピッチＰの略二分の一を着色領域２、残り略二分の一を非着色領域３とする。着色領域２は三種類以上の異なる着色部分４〜６で形成し、着色部分と着色部分の間に僅かな非着色部分７,８を残す。この釣糸１は、例えば１号未満の細い釣糸であって、リールを使用する釣り用に利用するのが効果的である。
【発明の効果】
【０００８】
請求項１記載の本発明釣糸によれば、例えば20メートル程度を繰り出して使用するルアーや餌釣りの場合に、投げ込んだ後の餌やルアーの沈み具合を釣糸１の沈んで行く状態によって知ることができる。また、ゆっくりと巻き取る場合に特定位置の着色部分４〜６の動きによって、従来は確認することが困難であった巻取り速度を正確に視認することができる。そして、釣糸１の非着色領域３を利用し、ここに釣針やルアーを取り付けることにより、メバルや渓流魚のように警戒心の強い魚に対しても、釣糸１に施した色によって警戒心を抱かせることなく使用することができる。
【０００９】
請求項２記載の発明によれば、着色領域２による釣糸１の視認性と、非着色領域３による魚に警戒心を抱かせないバランスが良く使い勝手の良いものであるとともに、着色領域２に三種類以上の着色部分４〜７を配置することによって、例えば気象条件、光の状態などによってその時々で視認し易い色彩部分を目印として利用することにより視認性を向上させることができる。
【００１０】
請求項３記載の発明によれば、メバル釣りや渓流釣りのように、警戒心の強い魚を対象魚として細い釣糸を使用し、しかも餌やルアーの動きを視認することができる。
【発明を実施するための最良の形態】
【００１１】
以下、本発明に係る釣糸の実施形態を添付の図面に基づいて説明する。図１は、本発明に係る釣糸の一部分を示す正面図である。
【００１２】
釣糸１は、一定ピッチＰごとに着色のパターンが繰り返し現れるように着色を施す。着色パターンを繰り返すピッチＰは、50センチメートルから２メートル程度であって、道糸として使用した場合に水面付近を中心として、釣り人の目が届く範囲にいずれかの着色部分が存在するピッチとする。
【００１３】
釣糸１の一定ピッチＰ内には、着色領域２と非着色領域３を配置し、図示実施形態では着色領域２と非着色領域３がほぼ同等程度としている。より具体的には、ピッチＰを110センチメートルとし、非着色領域３を53センチメートル程度として実施したときに使い易い良好な結果を得ることができた。すなわち、非着色領域２の長さL2は、この部分に釣針やルアーを装着しても警戒心の強い魚に着色部分２の存在を感じさせない寸法とする。具体的には、0.3メートル程度以上とする。
【００１４】
着色領域２の長さL1は、図示実施例では57センチメートルであるが、着色領域２内に三つの着色部分４,５,６を配置している。着色部分４,５,６の色彩は、例えば着色部分４を黄色、着色部分５をピンク、着色部分６をオレンジというように色分けし、着色部分４と５の間及び着色部分５と６の間にそれぞれ非着色部分７，８を設け着色部分４,５,６の存在を明瞭にしている。非着色部分７，８は３センチメートル程度であって色彩の区切りを明瞭にするものであり、長寸法とする必要はない。
【００１５】
一方、着色部分４ないし６の寸法Ｘ，Ｙ，Ｚは、使用する色彩の彩度、すなわち目立ち易さを考慮してバランスのよい寸法に配分するのが好ましく、一例として着色部分４は黄色で寸法Ｘが18センチメートル、着色部分５はピンクで寸法Ｙが15センチメートル、着色部分６はオレンジで寸法Ｚが18センチメートルとして、使い易く視認性に優れたより良好な結果を得ることができた。
【００１６】
着色領域２と非着色領域３を含む繰り返しパターンのピッチＰは、先に述べたように特に限定されるものではないが、従来の投げ釣り用のように繰り出し長さを知るためのピッチ25メートルといった長い寸法ではなく、釣り人の目が届く範囲にいずれかの着色領域が存在するピッチＰである。その寸法として0.5〜２メートル程度となる。そして、このピッチＰを短くした場合は、相対的に非着色領域３の割合を大きくするのが好ましい。
【００１７】
着色領域２の色彩及び着色パターンは、特に限定されるものではないが、単色であるよりも複数の色彩を使用するのが好ましい。その理由は、釣糸１として細い釣糸で本発明を実施する場合は色彩が目立ちにくい場合があるとともに、釣り場環境や光線の具合によって視認し易い色に違いがあるため、どのような条件であっても、着色部分４ないし６のいずれかの着色部分が目印として視認することができるためである。したがって、選択する色彩も同色系ではなく、彩度及び明度の両方で違いのあるものの組み合わせを採用するのが好ましい。種々釣り場の気象条件や光線の変化を考慮した場合、三種類以上の色彩を組合わせれば、つねに良好な視認性を実現することができる。
【００１８】
上記、本発明に係る釣糸１は、浮きを使用する釣り以外の釣り、特に釣糸をリールでゆっくり巻取りながら釣るような釣り、例えばルアー釣り、フライ釣り、ふかせ釣り、あるいは目印としてのセル球や釣糸に装着する目印を使用するような渓流釣りなどに使用した場合に有効である。すなわち、本発明では、釣糸の繰り出し位置やその変化を正確に視認することができるため、釣糸の巻き速度や餌やルアーの沈み速度、あるいは水深を微妙な変化の中で知ることができ、より好ましいリールによる巻取り操作を行ない、釣果を上げることができる。
【００１９】
例えば、１号未満といった細い釣糸を使用し、ワームと通称される擬餌を用いてメバルを対象魚とするルアー釣りに利用する場合、釣針１を非着色部分３に結束することによって魚の警戒心を刺激しないものとすることができた。この場合、餌の水深と移動速度はリールの巻取り操作(速度)、によって調節するものであるが、釣糸１の着色部分４〜６の沈み具合によって水深を知る。次に、餌の移動速度は非常にゆっくりとした遅い速度で巻き取るのが好ましいが、このとき釣糸１の着色部分４〜６の移動速度によって餌の移動速度を知ることができる。ゆっくりとした遅い速度で巻き取る場合は、釣糸１の表面張力によって釣糸の一部が水面に浮かんでいるような場合、あるいはたるんだ釣糸が水面付近を漂っているような場合がある。このような状況において、メバルの魚信 (当たり)があると釣糸１だけが引き込まれる現象が生じ、釣糸の着色部分を注視することによって、魚信を正確に把握することができる。すなわち、メバルの魚信は非常に微妙であって竿先に感知できない程度のことがあるが、本発明によればこのような微妙な当たりを逃さずに釣果を上げることができる。
【００２０】
本発明に係る釣針は、２ないし３号程度の太さで、プラグなどを使用するようなルアー釣りにも利用することもできる。この場合であっても、プラグの動きを左右する釣糸の操作に際し、釣糸の着色部分を目印としてより複雑で正確なルアー操作を可能とすることができる特長がある。
【図面の簡単な説明】
【００２１】
【図１】図１は、本発明に係る釣糸の一部分を示す正面図である
【符号の説明】
【００２２】
１…釣糸、  ２…着色領域、  ３…非着色領域、  ４，５，６…着色部分、  ７，８…非着色部分。
【図１】
2006006157.tif 000003